(57)【要約】【課題】生コンクリート及び汚泥などの含水流動性物質を移送する時、移送パイプ内の閉塞を防止する方法である。【解決手段】含水した吸水性樹脂を生コンクリート及び汚泥など含水流動性物質を移送する初期に先行して移送し、生コンクリートポンプ及び移送パイプの内壁に含水した吸水性樹脂や水分を付着させる。その後に送られる生コンクリート及び汚泥などの含水流動性物質から移送パイプの内壁が水分の奪取を防ぎ移送パイプ内での流動性を損なわず、移送パイプ内の閉塞防止を図るものである。【特許請求の範囲】
【請求項１】
流動性含水物質を加圧し移送する初期に先行して含水した吸水性樹脂を加圧移送することにより、流動性含水物質の加圧移送時に発生しやすい移送パイプ内の閉塞を防止する方法。
【請求項２】
流動性含水物質を吸引し移送する初期に先行して含水した吸水性樹脂を吸引移送することにより、流動性含水物質の吸引移送時に発生しやすい移送パイプ内の閉塞を防止する方法。
【発明の詳細な説明】
【０００１】
【発明が属する技術分野】
本発明は、流動性含水物質の加圧移送時及び吸引移送時におけるものであり、加圧移送時の場合には生コンクリートポンプを用いて加圧し移送パイプによる生コンクリートを所定の作業場所まで搬送する時に発生する移送パイプ内の閉塞を防止する方法に関する。
【０００２】
吸引移送時の場合には汚泥処理用バキュームポンプ車を用いて行う汚泥などを吸引する吸引口から減圧室までの移送パイプ内で発生する閉塞を防止する方法に関する。
【０００３】
【従来の技術とその課題】
例として、生コンクリートの作業場所まで搬送する方法は、ポンプにより生コンクリートを加圧し移送パイプを用いるのが一般的である。
【０００４】
また、汚泥処理の場合にはポンプにより減圧室を減圧し、その負圧により吸引口から汚泥を吸引し移送パイプを経て減圧室へ汚泥を導くのが一般的である。
【０００５】
上述生コンクリートの移送と汚泥の移送は加圧するか減圧するかの違いで移送パイプにおける閉塞防止策については同様の作用である。
【０００６】
生コンクリートポンプを用いて移送パイプにより生コンクリートを移送する場合には、移送初期において生コンクリートポンプ及び移送パイプの内壁が乾燥状態にあるのが一般的である。
【０００７】
また、汚泥用減圧ポンプを用いて移送パイプにより汚泥を移送する場合には、移送初期において移送パイプの内壁が乾燥状態にあるのが一般的である。
【０００８】
その乾燥状態のまま、生コンクリート及び汚泥を移送パイプに送り込むと、生コンクリート及び汚泥に含む水分を移送パイプ内壁が奪取して、生コンクリート及び汚泥の流動性が劣ることから、移送パイプの内壁で流動抵抗が増大した生コンクリート及び汚泥が移送パイプ内で閉塞した状態となる弊害が発生する頻度が高かった。
【０００９】
従来その弊害を防止するために、生コンクリートを移送する前にセメントペーストやモルタルを先行して移送する方法が採用されていた。また汚泥の場合には多量の水を先行して移送する方法が採用されていた。
【００１０】
ところが、セメントペーストやモルタルを採用した場合打設現場までの輸送中に生コンクリートとセメントペーストやモルタルのそれぞれに硬化反応が進行するため、輸送中の生コンクリートとセメントペーストやモルタル双方の時間的タイミングを旨く合わせなければならない欠点があった。
【００１１】
またセメントペーストやモルタルが打設した生コンクリートに混入しコンクリートの品質に悪影響を与える懸念から、打設初期に移送された生コンクリートは廃棄処分されていた。
【００１２】
汚泥の場合には、大量の水を必要としていたため、減圧室の容量は一定であり処理可能な汚泥の量が減少する欠点があった。
【００１３】
本発明の目的は、セメントペーストやモルタルに代わりコンクリートの品質に悪影響を与えない材料を使い、しかも手軽に持ち運びできる少量の使用でも効果が期待できる。打設作業する現地で所定量の水を確保すればよく、輸送中の生コンクリートが打設作業する現地に到着する前に、吸水性樹脂を所定量の水に混入し攪拌する作業だけでよい。以上のような簡単な作業で生コンクリートの移送を滑らかにすることができ、移送パイプ内の閉塞による弊害を防止する方法を実現することにある。
【００１４】
汚泥処理の場合にも環境に悪影響を与えず、少量の使用で処理能力を損なうことなく移送パイプ内の閉塞による弊害を防止する方法を実現することにある。
【００１５】
同時に飽和含水した吸水性樹脂は目的を達した後コンクリートに混入することになるが水分の大部分はセメントと反応してコンクリートの一部分となる、吸水性樹脂はわずか数十グラムの使用でありコンクリートの性能に影響を及ぼさない量である。
【００１６】
吸引用で汚泥処理に利用した場合には移送する物質への影響は勘案しなくても良く、また閉塞した場合にも生コンクリートのように硬化反応がないので比較的損失も少ないが、しかし閉塞による時間の損失は避けられない。生コンクリート移送時と同様の方法で吸水性樹脂を使用し、パイプ内の閉塞による弊害を防止する方法を実現することにある。
【００１７】
【課題を解決するための手段】
本発明で、生コンクリートポンプによる打設初期及び汚泥処理初期によるに移送パイプ内の閉塞という問題点を解決するために、用いられる吸水性樹脂は、特に限定されるものではなく、吸水時に粒子状になり得る公知の各種のものである。
【００１８】
上述の吸水性樹脂の含水量の重量比は２００〜５００倍のものが適しており、吸水性樹脂１００グラムに対し水２０〜５０リットルの割合である。
【００１９】
生コンクリートに先行して移送することによる効果が得られる飽和状態の吸水性樹脂の最適量は、使用する生コンクリートポンプの容量、移送パイプの内径や移送距離などにより異なるが、通常的に使用されている移送パイプの長さを想定して５０メートルで実験の結果、含水後の飽和状態吸水性樹脂の全量２０リットル以内で効果があることが判明している。
【００２０】
汚泥に先行して移送することによる効果が得られる飽和状態の吸水性樹脂の最適量は、減圧された負圧、移送パイプの内径や圧送距離などにより異なるが、生コンクリート移送と同様であり、通常的に使用されている移送パイプの長さを想定して５０メートルで実験の結果、含水後の飽和状態吸水性樹脂の全量２０リットル以内で効果があることが判明している。
【００２１】
【発明の実施の形態】
飽和含水量に達した吸水性樹脂を生コンクリートを移送する初期に生コンクリートポンプから移送パイプに送り込む、その送られた飽和含水量に達した吸水性樹脂が移送パイプの内壁に付着したり、吸水性樹脂の水分を内壁に奪取され、その内壁は十分に湿潤状態となる。その後に送られた生コンクリートからは移送パイプ内壁が水分を奪取することもなく、飽和状態吸水性樹脂が潤滑剤の役目となり生コンクリートの流動抵抗を減少させ、生コンクリートポンプが円滑に稼動し、移送パイプの閉塞も生じ難くするものである。
【００２２】
上述生コンクリートの場合と同様に汚泥を移送する場合にも飽和含水量に達した吸水性樹脂を吸引し移送初期に移送パイプに送り込むと同様の効果が得られる。
【００２３】
【発明の効果】
本発明は、吸水性樹脂の利用で含水流動性物質を移送する時に移送パイプ内の閉塞を防止する方法は、生コンクリートの移送時及び汚泥移送時による利用には最適であり、打設されたコンクリートの強度など悪影響を及ぼすことがなく、吸水性樹脂は人体及び環境にも害のないものであるため、たとえ廃棄処分されても公害のない特徴がある。